(57)【要約】【課題】放熱性能に優れ、高効率な発光が可能なＬＥＤ集魚灯を提供すること。【解決手段】一または複数のＬＥＤ光源１１を有する発光部１と、ＬＥＤ光源１１を点灯させる電源部と、ＬＥＤ光源１１を空冷する放熱部とを備えたＬＥＤ集魚灯１０において、放熱部は、発光部１の背面側に設けた背面放熱フィンと、発光部１の両側面側に設けた側面放熱フィン３２とを備え、この側面放熱フィン３２は、発光部１の正面側から背面側へ通気させる通気路３３を有しており、発光部１は、その正面において全てのＬＥＤ光源１１を覆って前方へ突出する単一のレンズ１２等の透光凸状部材を備えている。【選択図】図１
2020000222.tif 000002
【特許請求の範囲】
【請求項１】
一または複数のＬＥＤ光源を有する発光部と、前記ＬＥＤ光源を点灯させる電源部と、前記ＬＥＤ光源を空冷する放熱部とを備えたＬＥＤ集魚灯であって、
前記放熱部は、前記発光部の背面側に設けた背面放熱フィンと、前記発光部の両側面側に設けた側面放熱フィンとを備え、
前記側面放熱フィンは、前記発光部の正面側から背面側へ通気させる通気路を有しており、
前記発光部は、該発光部の正面において全ての前記ＬＥＤ光源を覆って前方へ突出する単一の透光凸状部材を備えていることを特徴としたＬＥＤ集魚灯。
【請求項２】
前記透光凸状部材が、レンズであることを特徴とした請求項１記載のＬＥＤ集魚灯。
【請求項３】
前記透光凸状部材が、カバーであることを特徴とした請求項１記載のＬＥＤ集魚灯。
【発明の詳細な説明】
【技術分野】
【０００１】
本発明は、ＬＥＤ光源を有する集魚灯に関するものである。
【背景技術】
【０００２】
従来、漁業や観光釣船に於いて集魚の為には主としてメタルハライド灯が用いられてきており、発光効率は最も効果的と言われてきたが、一方では膨大な点灯燃料を必要とし、場合に依っては漁場までの航行燃料よりも多大な燃料を要することもあった。
【０００３】
その為、最近ではこれに代わりＬＥＤに依る集魚灯が登場してきたが、製作側が集魚に必要な要素や厭忌事項を十分に把握しないまま、ただ大光量を出す事にのみ傾倒するあまりに、必ずしも高効率な結果を上げているとは言い難く、登場して相当な時間が経過していてもＬＥＤ集魚灯が既存機種に代わり大々的に普及していないことがその現状を物語っていると言える。
【０００４】
現在までにＬＥＤの特性である指向性の強さや発光波長の設定のし易さを利用した集魚灯で、収穫効率を向上させるための装置が提案されている（例えば、下記特許文献１〜５参照）。
【０００５】
しかしながら、これら従来のＬＥＤ集魚灯は、大光量を求める余り、単光源ではなく多灯式が採用されがちであり、そうすると熱が籠らないよう光源同士の距離を離して設置する必要があり、それに依る放熱も器具の背面に集中する事になる為、器具が大型化する難点があった。ＬＥＤは、その発光に伴って温度が上昇すると発光効率が低下し、しかも、温度上昇によりＬＥＤ自身が劣化する為、十分な放熱が重要である。
【０００６】
大型化しがちであった従来のＬＥＤ集魚灯は、船舶全体の総重量・形態に比して高所に取付けられる集魚灯の重量や、横風の影響を十分に考慮しているとはいえず、集魚灯の耐風面積や重量が大きくなりがちで、横風や横波の影響を強く受けやすく中小型船舶の集魚灯環境を改変するには至っていない。
【先行技術文献】
【特許文献】
【０００７】
【特許文献１】特許第５５１０５４９号公報
【特許文献２】特開２０１７−１４３７８２号公報
【特許文献３】特開２０１７−５０２８３号公報
【特許文献４】特許第５５３６６１５号公報
【特許文献５】実用新案登録第３２０２６１８号公報
【発明の概要】
【発明が解決しようとする課題】
【０００８】
本発明は、従来のＬＥＤ集魚灯に上記のような難点があったことに鑑みて為されたもので、放熱性能に優れ、高効率な発光が可能なＬＥＤ集魚灯を提供することを課題とする。
【課題を解決するための手段】
【０００９】
本発明は、一または複数のＬＥＤ光源を有する発光部と、前記ＬＥＤ光源を点灯させる電源部と、前記ＬＥＤ光源を空冷する放熱部とを備えたＬＥＤ集魚灯であって、
前記放熱部は、前記発光部の背面側に設けた背面放熱フィンと、前記発光部の両側面側に設けた側面放熱フィンとを備え、前記側面放熱フィンは、前記発光部の正面側から背面側へ通気させる通気路を有しており、前記発光部は、該発光部の正面において全ての前記ＬＥＤ光源を覆って前方へ突出する単一の透光凸状部材を備えていることを特徴としている。
【００１０】
また、本発明は、前記透光凸状部材がレンズであることを特徴としている。
【００１１】
また、本発明は、前記透光凸状部材がカバーであることを特徴としている。
【発明の効果】
【００１２】
本発明に係るＬＥＤ集魚灯によれば、一または複数のＬＥＤ光源を有する発光部の背面側に背面放熱フィンを設け、発光部の両側面側に側面放熱フィンを設けているので、ＬＥＤ光源の発熱を効率よく放熱することができ、ＬＥＤの本来有する能力を最大値で発光させることができる。
【００１３】
そして、発光部の正面において全てのＬＥＤ光源を覆って前方へ突出する単一の透光凸状部材を設けているので、発光部の正面に当たる風を抵抗少なくスムーズに側面放熱フィンの通気路へ導き、背面放熱フィンへ導くことができ、発光部の正面に対する風圧を低減化すると同時に、発熱の多い発光部の背面における背面放熱フィンによる熱交換を促進することができ、放熱性能を高めることができる。
【００１４】
したがって、本発明に係るＬＥＤ集魚灯は、従来品のように放熱のために大型化せざるを得ない難点もなく、高出力でコンパクトに構成することができ、集魚灯の耐風面積や器具重量／総合光束量を小さく抑えることができ、横風や横波を受けたときの船舶の揺れや転倒のリスクを大幅に下げることができる。
【図面の簡単な説明】
【００１５】
【図１】第一実施形態のＬＥＤ集魚灯の正面図である。
【図２】第一実施形態のＬＥＤ集魚灯の平面図である。
【図３】第一実施形態のＬＥＤ集魚灯の側面図である。
【図４】第一実施形態のＬＥＤ集魚灯の背面図である。
【図５】第一実施形態のＬＥＤ集魚灯の放熱作用の説明図である。
【図６】比較例のＬＥＤ集魚灯の放熱作用の説明図である。
【図７】第一実施形態のＬＥＤ集魚灯の支持具への取り付け操作を説明する側面図である。
【図８】第一実施形態のＬＥＤ集魚灯の支持具への取り付け操作を説明する部分平面図である。
【図９】第二実施形態のＬＥＤ集魚灯の正面図である。
【図１０】第二実施形態のＬＥＤ集魚灯の平面図である。
【図１１】第二実施形態のＬＥＤ集魚灯の背面図である。
【図１２】図９におけるＡ―Ａ線部分断面図である。
【図１３】第二実施形態のＬＥＤ集魚灯のＬＥＤ光源の概略平面図である。
【図１４】第三実施形態のＬＥＤ集魚灯の要部断面図である。
【図１５】第四実施形態のＬＥＤ集魚灯の要部断面図である。
【発明を実施するための形態】
【００１６】
「第一実施形態」
図１〜図４に示すように、第一実施形態のＬＥＤ集魚灯１０は、ＬＥＤ光源１１を有する発光部１と、ＬＥＤ光源１１を点灯させる電源部２と、ＬＥＤ光源１１を空冷する放熱部３と、支持具５に対し着脱自在な取付部４とから構成されている。
【００１７】
発光部１は、捕獲目的魚種の捕食対象の小魚やプランクトンの可視域光を照射する第一ＬＥＤ光源と、この捕獲目的魚種の可視域光を照射する第二ＬＥＤ光源とを一つのＬＥＤ基板上に一体に備えている。本実施形態の発光部１は、その使用電力が１００Ｗ未満であり、第一ＬＥＤ光源は、ピーク５６５ｎｍを中心としてその近辺波長を均等に発光し、第二ＬＥＤ光源は、烏賊の可視光であるピーク４８０ｎｍの波長を発光する。
【００１８】
また、本実施形態の発光部１は、その正面において突出するレンズ１２を備えている。即ち、本実施形態では、発光部１の正面において全てのＬＥＤ光源１１を覆った状態で前方へ突出する単一の透光凸状部材として、レンズ１２が設けられている。
【００１９】
電源部２は、図４に示すように、ＡＣ／ＤＣ変換電源２２から成り、給電線２１を介して上記発光部１とは別体に設けられている。
【００２０】
放熱部３は、発光部１の背面に設けた背面放熱フィン３１と、発光部１の左右両側面に設けた側面放熱フィン３２とを備えている。そして各側面放熱フィン３２は、発光部１の正面側から背面側へ通気させる通気路３３を形成している。
【００２１】
取付部４は、円柱状の突起部４１と、突起部４１の先端側に形成された鍔部４２を備えた傘状の突起から成り、側面放熱フィン３２の先端が連結された補強枠４３の側面に外向きに突設されている。
【００２２】
このように本実施形態の集魚灯１０は、発光部１の背面に背面放熱フィン３１を設け、発光部１の両側面に、背面放熱フィン３１と一部連結するように一体成型された側面放熱フィン３２を設けており、ＬＥＤ光源１１の基板より発せられる熱を効率よく大気中に発散させることができる為、ＬＥＤの本来有する能力を最大値で点灯させることが可能となり、発光効率＝総発光光束量／使用電力を、従来品より向上させている為、青白発光器具でも５３５０ｌｍ／６０Ｗ、白色発光器具に於いては８３００ｌｍ／６０Ｗで１３８ｌｍ／Ｗと、現在最も発光効率が高いと言われるメタルハライドランプの発光効率１３０ｌｍ／Ｗを抜くまでとなっている。
【００２３】
また、本実施形態の集魚灯１０は、発光部１の両側面に、発光部１の正面側から背面側へ通気させる通気路３３を形成するように側面放熱フィン３２を設けているので、図５に示すように、発光部１の正面に当たった風を通気路３３に導くことができ、側面放熱フィン３２による放熱効果を高めることができる。
【００２４】
しかも、本実施形態の集魚灯１０は、発光部１の正面において全てのＬＥＤ光源１１を覆って前方へ突出する単一の透光凸状部材であるレンズ１２を設けているので、正面からの風を抵抗少なく側面放熱フィン３２により成された通気路３３から背面放熱フィン３１側へスムーズに導くことができ、背面放熱フィン３１による放熱効果も高めることができる。
【００２５】
従来の集魚灯では多光源はその機構上、例え単光源であっても発光保護面は、器具に風が当たった場合、まずはその表面に器具を押す速度圧が発生し、また背面でも複雑に巻込む風に依り吸引力が働き、その両方の合力が器具に発生するが、本実施形態の集魚灯１０は、発光部１の正面に全てのＬＥＤ光源１１を覆う大きな単一の球形のレンズ１２を設けているので、図５に示すように、発光部１の正面に当たった風は自然に両サイドに分割されるように流れ、背面にも渦を巻かずに流れ込み易くなる為、背面の吸引力も減少させることが可能となっている。これは建築基準法の風圧計算に用いられる形状係数からも明らかである。
【００２６】
これに対し、図６に示す比較例のように、発光部１の正面に透光凸状部材を設けていない場合、発光部１の正面に当たった風は、正面中央付近で一部滞留するなどして、側面放熱フィン３２の通気路３３へ流れ込む気流の流速が遅くなり、その気流の向きも発光部１の正面と平行な方向に近くなる。その結果、この通気路３３を通過して背面放熱フィン３１側へ回り込む気流の流量も少なくなり、背面放熱フィン３１による放熱効果が大幅に低下してしまう。
【００２７】
このように本実施形態の集魚灯１０は、構造の複雑化を伴うことなく、発光部１の正面に全てのＬＥＤ光源１１を覆って前方へ突出する単一の透光凸状部材を設けるという至って簡素な構成を採用することによって、発光部１の正面に対する風圧を低減化すると同時に、発熱の多い発光部１の背面における背面放熱フィン３１による熱交換を促進しているのである。
【００２８】
また、本実施形態の集魚灯１０は、放熱性能に優れているので、従来品のように１灯を大型化するのではなく、高出力でコンパクトに構成することができ、器具重量／総合光束量も軽く抑える事ができる為、横波を受けた時の揺れや転倒リスクを減らしたい軽量船舶に於いては最適な方向性といえる。
【００２９】
本実施形態の集魚灯１０は、従来品に有りがちであった二灯以上のＬＥＤを用いた多灯ＬＥＤ発光型ではなく、電源を船舶の下部に別置きとした１００Ｗ以下の小型単一基盤発光型とし、それを直接放熱フィンが付いた筐体に固定して放熱効果を大きく向上させる事により、小型でも総発光量を多くすることで、最大光量／本体単位重量の指数を従来品より大きくすることができ、高い位置に取付けても、集魚灯、電源、及び船舶の総合重心の位置を従来品より下げることが可能となる為、横波に対し船舶の横揺れを低減しリスクを下げる事を可能としている。
【００３０】
また、本実施形態の集魚灯１０は、同上の理由による小型化と、放熱フィンを発光部筐体の後部及びその左右に直結して設ける事で、最大光量／見付面積の指数も従来品より大きくでき、更にＬＥＤ発光体の見付面にＬＥＤを保護する風防レンズを大きく張り出させて設ける事で、船舶に対する横風、言い換えれば当該発明品に正面方向から吹付ける風圧を上下左右に受け流すことを可能にしており、上記の実質的指数を更に上げる効果を出す事ができ、風に依る船の転倒モーメントを減少させることができる。
【００３１】
また、本実施形態の集魚灯１０は、捕獲目的魚種の捕食対象の小魚やプランクトンの可視域光を照射する第一ＬＥＤ光源と、この捕獲目的魚種の可視域光を照射する第二ＬＥＤ光源とを備えているので、捕獲目的魚とその食物連鎖に必要な波長を発光し、効率のよい集魚の為の環境を構築することができる。
【００３２】
従来のＬＥＤ集魚灯は、目標製品がメタルハライドの高輝度さにあった為、ただひたすら高出力を目指していた。また実験室で、例えば光に対する烏賊の挙動を探り、それを基にした特許も提唱されている。しかし烏賊が青色系に反応する事は生態学からも示されていた事であり、烏賊はあくまでも捕食の為に夜間に行動するので、発明者の海上での観察では、烏賊は種類により青色系の光４７１ｎｍ、４８４ｎｍ、５０１ｎｍの波長帯のどれかで物を見ているようであるが、そこに食物連鎖が構成されていないと、つまりは自分の餌になるようなものが居ないと、自己の保護の為にその場をはなれようとするものと考えられる。その為、まずは烏賊の餌になる小魚と、それが捕食する動物性プランクトンを集められなければ釣人の為の集魚灯にはなり得ないものと考え、事実青色ＬＥＤ灯のみの集魚灯では烏賊が余り釣れないと言われるのもそれが原因と考えている。
【００３３】
本実施形態の集魚灯１０の発光部は、捕獲目的魚種の捕食対象の小魚やプランクトンの可視光：ピーク５６５ｎｍを中心としてその近辺波長を均等に発光する第一ＬＥＤ光源と、前記捕獲目的魚種、例えば烏賊を対象とするのであればピーク４８０ｎｍの可視光を照射する第二ＬＥＤ光源とを、一つのＬＥＤ基盤上に備える事で、第一ＬＥＤ光源でそれらの波長を可視域とする動物性プランクトンや小型魚を捕獲対象魚の餌として集め、第二ＬＥＤ光源が、それを捕獲対象魚に映像として視認させることで、捕食対象魚は船舶の底に潜みながら継続的に小型魚の捕食体制に入ることになり、釣り人に長時間つり上げの機会を与えることができる。
【００３４】
また、本実施形態のＬＥＤ集魚灯１０は、複数の側面放熱フィン３２の先端が連結する補強枠４３に取付部４を設けているので、図７及び図８に示すように、ＬＥＤ集魚灯１０を、船体に設けた集魚灯支持具５に対して簡単に取り付け、取り外しすることができる。
【００３５】
大型のＬＥＤでは捕獲目的魚種に合わせて波長を、言い換えればＬＥＤを取り替える事は大変困難である為、既存品の多くは包括的な波長を具備した器具となる傾向にあったが、別な見方をすれば目的魚種捕獲に不必要なエネルギーを消費している事になるので、そのやり方は不経済であったと言える。
【００３６】
本発明ではこれを解消する為に、上記の如く器具のコンパクト化を図った訳であるが、その取付け方法も、図７に示すように、支持具５の支持アングルに落ち込み部の長さが異なる逆Ｌ字型の上溝５１及び下溝５２を設けておき、図７（ａ）に示すように、最初に、ＬＥＤ集魚灯１０の上側の取付部４Ａを上溝５１の途中まで先に落とし込み、次に、下側の取付部４Ｂが下溝５２に合致したところでそのまま取付部４Ｂも下溝５２へ落とし込むことによって、本実施形態のＬＥＤ集魚灯１０を支持具５に取り付けることができる。
【００３７】
この取り付け構造によれば、図７（ｂ）に示すように、ＬＥＤ集魚灯１０が単純に下から何らかの力Ｆで押し上げられても、上側の取付部４Ａは上溝５１から外れていない為、ＬＥＤ集魚灯１０そのものが外れて落下する事はまず有り得ず、入れた時と同様に、人の手でこの下側の取付部４Ｂを横にずらして下溝５２から外さなければ上側の取付部４Ａを上溝５１から外すことは出来ない為、風圧や船舶の揺れで灯具が一人で外れる事は皆無に近いものと考える。
【００３８】
従来の集魚灯はその大きさや重量、また取り付け部分の複雑さから、取付けや取替えに専門家の技術が必要とされる為、どうしても一種類の器具に多くの魚種を寄せる為の汎用性を組み込む必要があった。これは言い換えればその季節に旬となる魚種に特化した集魚環境を構築しにくいという事の裏返しでもあるので、本発明では漁師や船主が簡単にＬＥＤ灯具を取り替えられる機構を持たせている。季節の変化や規制解禁で捕獲目的魚が変わった場合にその魚種に最適の灯具へと取り替える事で、効率の高い漁が可能となる。またこの機能は灯具の故障などへの対応も短時間で行える事も併せ持つ為、旧来のように灯具が故障した場合、漁を諦め寄港する必要もなく、海上で他の器具を点灯させたままでも対処可能となり総合的なロスを減少させることが可能となる。
【００３９】
「第二実施形態」
図９〜図１３に示す第二実施形態のＬＥＤ集魚灯２０は、ＬＥＤ光源６１を有する発光部６と、ＬＥＤ光源６１を点灯させる電源部７と、ＬＥＤ光源６１を空冷する放熱部８と、支持具５（図７参照）に対し着脱自在な取付部９とから構成されている。
【００４０】
発光部６は、図１２に示すように、集魚灯の本体となる金属製の支持基板６４上にＬＥＤ光源６１が配設されて構成されている。そして、発光部６の正面において全てのＬＥＤ光源６１を覆って前方へ突出する単一の透光凸状部材６５が設けられている。本実施形態では、透光凸状部材６５としてレンズ６６が設けられている。
【００４１】
ＬＥＤ光源６１は、図１３に示すように、一つのＬＥＤ基板６２上に複数のＬＥＤチップ６３が実装されて構成されている。本実施形態では、ＬＥＤチップ６３として、４２０〜６５０ｎｍの波長光を発する１Ｗ、計６０個の第一ＬＥＤチップ６３ａと、４７０〜４８０ｎｍの波長光を発する１Ｗ、計２０個の第二ＬＥＤチップ６３ｂと、４８０〜４９０ｎｍの波長光を発する１Ｗ、計１０個の第三ＬＥＤチップ６３ｃと、４９０〜５００ｎｍの波長光を発する１Ｗ、計１０個の第四ＬＥＤチップ６３ｄとを実装している。なお、本発明は、これに限定されるものではなく、各ＬＥＤチップの発光波長の組み合わせ、個数、配置等は種々の設計変更が可能である。一つのＬＥＤ基板６２上に単一色のＬＥＤチップを複数実装してもよい。
【００４２】
また、単一色又は複数色のＬＥＤチップを異なるＬＥＤ基板６２上にそれぞれ実装して複数のＬＥＤ光源６１を準備し、これら複数のＬＥＤ光源６１を発光部６の支持基板６４上に設けるようにしてもよい。捕獲目的魚種やその捕食対象の可視域に応じて種々の設計変更が可能である。
【００４３】
電源部７は、図１１に示すように、ＡＣ／ＤＣ変換電源７２から成り、給電線７１を介して上記発光部６とは別に設けられている。
【００４４】
放熱部８は、図１０及び図１１に示すように、発光部６の背面側に設けた背面放熱フィン８１と、発光部６の左右両側面側に設けた側面放熱フィン８２とを備えている。そして、各側面放熱フィン８２は、発光部６の正面側から背面側へ通気させる通気路８３を形成している。
【００４５】
本実施形態の背面放熱フィン８１は、図１２に示すように、発光部６の支持基板６４におけるＬＥＤ光源６１の配設面とは反対の面に一体に立設されており、この背面放熱フィン８１と連続して側面放熱フィン８２が一体に設けられている。
【００４６】
取付部９は、図１０に示すように、円柱状の突起部９１と、突起部９１の先端側に形成された鍔部９２とから成り、側面放熱フィン８２の先端同士を連結する補強枠９３に、持出部材９４を介して外向きに突設されている。
【００４７】
本実施形態における発光部６の支持基板６４と、放熱部８の背面放熱フィン８１及び側面放熱フィン８２とは、アルミ押出成形材から成り、この押出成形材を一部切り欠き加工することによって、発光部６の支持基板６４、側面放熱フィン８２の通気路８３、及び取付部９の補強枠９３が形成されている。
【００４８】
このように第二実施形態のＬＥＤ集魚灯２０においても、発光部６の正面において全てのＬＥＤ光源６１を覆って前方へ突出する単一の透光凸状部材６５を設けているので、上述した第一実施形態のＬＥＤ集魚灯１０と同様に、発光部６の正面に当たる風を抵抗少なくスムーズに側面放熱フィン８２の通気路８３へ導き、背面放熱フィン８３へ導くことができ、発光部６の正面に対する風圧を低減化すると同時に、発熱の多い発光部６の背面における背面放熱フィン８３による熱交換を促進することができ、優れた放熱性能を発揮する。
【００４９】
さらに、第二実施形態のＬＥＤ集魚灯２０は、放熱部８の背面放熱フィン８１と側面放熱フィン８２とを一体成形しているので、背面放熱フィン８１から側面放熱フィン８２への熱伝導を利用してＬＥＤ光源６１の発熱をより効果的に放熱することができる。
【００５０】
「第三実施形態」
図１４に示す第三実施形態のＬＥＤ集魚灯３０は、透光凸状部材６５として、ほぼ一定の厚みを有するカバー６７を採用している点に特徴があり、他の構成は上述した第二実施形態のＬＥＤ集魚灯２０と同様である。
【００５１】
このように第三実施形態のＬＥＤ集魚灯３０においても、発光部６の正面において全てのＬＥＤ光源６１を覆って前方へ突出する単一の透光凸状部材６５を設けているので、発光部６の正面に対する風圧を低減化すると同時に、発熱の多い発光部６の背面における背面放熱フィン８３による熱交換を促進することができ、優れた放熱性能を発揮する。
【００５２】
そして、透光凸状部材６５として、比較的に肉薄なカバー６７を採用しているので、より軽量なＬＥＤ集魚灯を構成することができる。
【００５３】
「第四実施形態」
図１５に示す第四実施形態のＬＥＤ集魚灯４０は、発光部６の支持基板６４上に複数のＬＥＤ光源６１を配設し、発光部６の正面において、これら複数のＬＥＤ光源６１の全てを覆って前方へ突出する単一の透光凸状部材６５を設けている点に特徴があり、他の構成は上述した第三施形態のＬＥＤ集魚灯３０と同様である。
【００５４】
この第四実施形態のＬＥＤ集魚灯４０においても、発光部６の正面において全てのＬＥＤ光源６１を覆って前方へ突出する単一の透光凸状部材６５を設けているので、発光部６の正面に対する風圧を低減化すると同時に、発熱の多い発光部６の背面における背面放熱フィン８３による熱交換を促進することができ、優れた放熱性能を発揮する。
【００５５】
なお、このＬＥＤ集魚灯４０のカバー６７の内側において、複数のＬＥＤ光源６１のそれぞれにレンズを設けるようにしてもよい。
【００５６】
以上、本発明に係る実施形態のＬＥＤ集魚灯について説明したが、本発明は、その他、その趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施してもよく、また、一体に構成されている発明特定事項を複数の部材から構成したり、複数の部材から構成されている発明特定事項を一体に構成した形態で実施してもよい。
【符号の説明】
【００５７】
１０、２０、３０、４０  ＬＥＤ集魚灯
１、６  発光部
１１、６１  ＬＥＤ光源
１２、６６  レンズ
２、７  電源部
３、８  放熱部
３１、８１  背面放熱フィン
３２、８２  側面放熱フィン
３３、８３  通気路
６５  透光凸状部材
６７  カバー
【図１】
2020000222.tif 000003
【図２】
2020000222.tif 000004
【図３】
2020000222.tif 000005
【図４】
2020000222.tif 000006
【図５】
2020000222.tif 000007
【図６】
2020000222.tif 000008
【図７】
2020000222.tif 000009
【図８】
2020000222.tif 000010
【図９】
2020000222.tif 000011
【図１０】
2020000222.tif 000012
【図１１】
2020000222.tif 000013
【図１２】
2020000222.tif 000014
【図１３】
2020000222.tif 000015
【図１４】
2020000222.tif 000016
【図１５】
2020000222.tif 000017
【手続補正書】
【提出日】令和1年10月17日(2019.10.17)
【手続補正１】
【補正対象書類名】特許請求の範囲
【補正対象項目名】請求項１
【補正方法】変更
【補正の内容】
【請求項１】
一または複数のＬＥＤ光源を有する発光部と、前記ＬＥＤ光源を点灯させる電源部と、前記ＬＥＤ光源を空冷する放熱部と、集魚灯の支持具に対し着脱自在な取付部とを備えたＬＥＤ集魚灯であって、
前記放熱部は、前記発光部の背面側に設けた背面放熱フィンと、前記発光部の両側面側に設けた側面放熱フィンとを備え、
前記側面放熱フィンは、前記発光部の正面側から背面側へ通気させる通気路を有しており、
前記発光部は、該発光部の正面において全ての前記ＬＥＤ光源を覆って前方へ突出する単一の透光凸状部材を備え、
前記側面放熱フィンは、前記透光凸状部材よりも側方へ突出し、該側面放熱フィンの先端に前記取付部が設けられていることを特徴としたＬＥＤ集魚灯。
【手続補正２】
【補正対象書類名】明細書
【補正対象項目名】０００９
【補正方法】変更
【補正の内容】
【０００９】
本発明は、一または複数のＬＥＤ光源を有する発光部と、前記ＬＥＤ光源を点灯させる電源部と、前記ＬＥＤ光源を空冷する放熱部と、集魚灯の支持具に対し着脱自在な取付部とを備えたＬＥＤ集魚灯であって、
前記放熱部は、前記発光部の背面側に設けた背面放熱フィンと、前記発光部の両側面側に設けた側面放熱フィンとを備え、前記側面放熱フィンは、前記発光部の正面側から背面側へ通気させる通気路を有しており、前記発光部は、該発光部の正面において全ての前記ＬＥＤ光源を覆って前方へ突出する単一の透光凸状部材を備え、前記側面放熱フィンは、前記透光凸状部材よりも側方へ突出し、該側面放熱フィンの先端に前記取付部が設けられていることを特徴としている。